(57)【要約】      （修正有）【課題】太陽電池パネルの温度上昇及び太陽電池パネル表面の積雪による発電電力の効率低下を抑えると共に、光熱費の削減することを図った太陽電池を提供する。【解決手段】太陽電池パネル２の裏面にタンク３又は伝熱管を配置して、該タンク３又は該伝熱管に水を流し、太陽電池パネル２の温度上昇の熱を回収して発電電力の効率低下を抑えると共に、回収後の温まった水を有効利用して、光熱費の削減をする。また、太陽電池パネル２表面の積雪を、太陽電池パネル２の裏面のタンク３又は伝熱管へ風呂の残り湯を流して、積雪を加熱により溶かして、発電電力の効率低下を抑える。さらに、太陽電池パネル２の頂上部に散水装置を設けて、水を散水して太陽電池パネル２の温度上昇を抑えると共に、お湯を散水して積雪を溶かす。【選択図】図２
2010123907.tif 000002
【特許請求の範囲】
【請求項１】
太陽電池パネルの裏面にタンクを設け、該タンクに水を流し、太陽電池パネルの熱を、流す水により回収させるようにしたことを特徴とする太陽電池。
【請求項２】
太陽電池パネルの裏面に伝熱管を蛇行状に設け、該伝熱管に水を流し、太陽電池パネルの熱を、流す水により回収させるようにしたことを特徴とする太陽電池。
【請求項３】
前記太陽電池パネルの裏面に設けたタンク又は伝熱管に、水とお湯を選択的に流すことができるようにしたことを特徴とする請求項１又は２に記載の太陽電池。
【請求項４】
前記太陽電池パネルの裏面に設けたタンク又は伝熱管に、水又はとお湯を流す為に、浴槽と該太陽電池パネルの間に給水配管を設け、水とお湯を選択的に流す為に、給水配管の先端に給水バルブ又は揚水ポンプを設けると共に、該太陽電池パネルの裏面に設けたタンク又は伝熱管から、浴槽へ水又はお湯を戻すための排水配管を設けたことを特徴とする請求項３に記載の太陽電池。
【請求項５】
前記太陽電池パネルの頂上部に散水装置を設けて、該散水装置から水を散水して太陽電池パネルの熱を、冷却することを特徴とする請求項４に記載の太陽電池。
【請求項６】
前記散水装置からお湯を散水して、前記太陽電池パネル表面の積雪を溶かすことを特徴とする請求項５に記載の太陽電池。
【請求項７】
前記太陽電池パネルの裏面に設けたタンク又伝熱管の水出口配管にバルブを設け、該バルブの手前にエアー抜きを設けると共に、タンク又は伝熱管の水入口配管に排水バルブを設けたことを特徴とする請求項６に記載の太陽電池。
【発明の詳細な説明】
【技術分野】
【０００１】  本発明は、太陽電池パネルの温度上昇及び太陽電池パネル表面の積雪による発電電力の効率低下を抑えると共に、光熱費の削減することを図った太陽電池に関するものである。
【背景技術】
【０００２】  従来の太陽電池は、太陽の放射熱による温度上昇に伴い発電効率が低下していた。
【発明の開示】
【発明が解決しようとする課題】
【０００３】  本発明は、そのような問題点に鑑み、次のことを目的とするものである。
（イ）太陽電池パネルの温度上昇による発電電力の効率低下を抑える．
（ロ）太陽電池パネルの温度上昇の原因となっている熱を、有効利用する。
（ハ）太陽電池パネルの表面の積雪を溶かす。
【課題を解決するための手段】
【０００４】  前記課題を解決するため、本願の請求項１にかかる発明は、太陽電池パネルの裏面にタンクを設け、該タンクに水を流し、太陽電池パネルの熱を、流す水により回収させるようにしたことを特徴とする。【０００５】  また、本願の請求項２にかかる発明は、太陽電池パネルの裏面に伝熱管を蛇行状に設け、該伝熱管に水を流し、太陽電池パネルの熱を、流す水により回収させるようにしたことを特徴とする。【０００６】  また、本願の請求項３にかかる発明は、請求項１又は２にかかる発明において、前記太陽電池パネルの裏面に設けた水タンク又は伝熱管に、水とお湯を選択的に流すことができるようにしたことを特徴とする。【０００７】  また、本願の請求項４にかかる発明は、請求項３にかかる発明において、前記太陽電池パネルの裏面に設けたタンク又は伝熱管に、水又はとお湯を流す為に、浴槽と該太陽電池パネルの間に給水配管を設け、水とお湯を選択的に流す為に、給水配管の先端に給水バルブ又は揚水ポンプを設けると共に、該太陽電池パネルの裏面に設けたタンク又は伝熱管から、浴槽へ水又はお湯を戻すための排水配管を設けたことを特徴とする。【０００８】  また、本願の請求項５にかかる発明は、請求項４にかかる発明において、前記太陽電池パネルの頂上部に散水装置を設けて、該散水装置から水を散水して太陽電池パネルの熱を、冷却することを特徴とする。【０００９】  また、本願の請求項６にかかる発明は、請求項５にかかる発明において、前記散水装置からお湯を散水して、太陽電池パネル表面の積雪を溶かすことを特徴とする。【００１０】  また、本願の請求項７にかかる発明は、請求項６にかかる発明において、前記太陽電池パネルの裏面に設けたタンク又は伝熱管の水出口配管にバルブを設け、該バルブの手前にエアー抜きを設けると共に、タンク及び伝熱管の水入口配管に排水バルブを設けたことを特徴とする。
【発明の効果】
【００１１】  本発明の太陽電池は、次のような効果を奏する。
すなわち、請求項１にかかる太陽電池においては、太陽電池パネルの裏面にタンクを設け、該タンクに水を流し、太陽電池パネルの熱を、流す水により回収させるようにしたので、太陽の放射熱により太陽電池パネルが温度上昇しても、温度上昇による発電電力の効率低下を水の冷却により抑えることができるとともに、その水を温水として貯湯タンク及び風呂等に利用する際に、温水の温度上昇をより効率化でき光熱費の削減になる。【００１２】  また、請求項２にかかる発明においては、太陽電池パネルの裏面に伝熱管を蛇行状に設け、該伝熱管に水を流し、太陽電池パネルの熱を、流す水により回収させるようにしたので、請求項１にかかる発明と同様に、太陽の放射熱により太陽電池パネルが温度上昇しても、温度上昇による発電電力の効率低下を水の冷却により抑えることができるとともに、その水を温水として貯湯タンク及風呂等に利用する際に、温水の温度上昇をより効率化でき光熱費の削減になる。【００１３】  また、請求項３にかかる発明においては、請求項１又は２にかかる太陽電池において、太陽電池パネルの裏面に設けたタンク又は伝熱管に、水とお湯を選択的に流すことができるようにしたので、太陽電池パネルの表面に積雪したとき、お湯を流すことにより、雪をお湯の熱で溶かすことができ、積雪による発電効率の低下を防止できる。その湯として、風呂の残り湯を用いれば、さらに効率化できる。【００１４】  また、請求項４にかかる発明においては、請求項３にかかる太陽電池において、太陽電池パネルと浴槽の間に、給水配管及び排水配管を設けたことにより、浴槽から揚水ポンプにより風呂の残り湯の送水・水道水の送水及び太陽電池パネルの加熱により温まった水道水及び風呂の残り湯の受水を浴槽により行うことができるので、浴槽を有効に利用できる。【００１５】  また、請求項５にかかる発明においては、請求項４にかかる太陽電池において、太陽電池パネルの頂上部に散水装置を設けて、散水装置から水を散水して太陽の放射熱により太陽電池パネルが温度上昇しても、温度上昇による発電電力の効率低下を水の冷却により抑えることができる。【００１６】  また、請求項６にかかる発明においては、請求項５にかかる太陽電池において、太陽電池パネルの表面の積雪を散水するお湯により溶かすことにより太陽電池の発電効率の低下を抑制することができる。その湯として、風呂の残り湯を用いれば、さらに効率化できる。【００１７】    また、請求項７にかかる発明においては、請求項６にかかる太陽電池において、太陽電池パネルの裏面に設けた伝熱管又はタンクの水出口配管にバルブを設け、該バルブの手前にエアー抜きを設けると共に、前記伝熱管及びタンクの水入口配管に排水バルブを設けたので、配管内に混入するエアーを抜くことによりスムーズに水を流動させることができるようになると共に、水入口配管に設けた排水バルブにより、冬季には、タンク及び伝熱管内の水を排水して凍結を防止することができる。
【発明を実施するための最良の形態】
【００１８】  以下、本発明の実施するための形態を図１〜図８に基づいて説明する。
【実施例】
【００１９】  図１は、本発明の太陽電池の構成図である。図１において、本発明の太陽電池は、従来の太陽電池パネル２の裏面に、水又はお湯を送水する為の水入り口４及び水出口５を設けた太陽電池ユニット１を密着させて設けている。【００２０】  図２は、太陽電池ユニットにタンクを設けた状態を示す斜視図及び太陽電池ユニットの断面図である。図２において、太陽電池ユニット１は、図２（Ａ）に示すように、水又はお湯を蓄えるタンク３を配設し、タンク３に水又はお湯を送水する為の水入口４及び水出口５が設けられている。そして、図２（Ｂ）に示すように、タンク３の表面には、太陽電池パネル２を密着させて設けている。【００２１】  図３は、太陽電池ユニットに伝熱管を設けた状態を示す斜視図及び太陽電池ユニットの断面図である。図３において、太陽電池ユニット１は、図３（Ａ）で示すように、プレート６の上面に伝熱管７を蛇行状に配管し、伝熱管７に水又はお湯を送水する為の水入口４及び水出口５を設け、図３（Ｂ）に示すように、伝熱管７の表面に太陽電池パネル２を密着させて設けるようにしてもよい。【００２２】  図４は、太陽電池ユニットにおいて水道水を温めて浴槽へ送水する使用状態を示す斜視図である。図４において、給水バルブ８を開くと、水道水は給水配管１１を通り、水入口４から太陽電池ユニット１へ送水される。すると、水道水は太陽電池ユニット１に密着している太陽電池パネル２を冷却して、温度上昇による発電効率の低下を抑制する。逆に、太陽電池ユニット１の内部の水道水は、太陽電池パネル２表面の熱により温まる。
そのようにして温まった水道水は、温水として有効に利用でき、例えば、水出口５から排水配管１２を通り浴槽９へ使用すれば、風呂の追い焚きの光熱費の削減になる。また、排水配管１２にバルブ１６を設けて開くと、貯湯タンク等にも温水を供給できる。【００２３】  図５は、風呂の残り湯により太陽電池パネルの表面の積雪を溶かす状態を示す斜視図である。図５において、冬季、積雪がある時期には、浴槽９内の揚水ポンプ１０にて、風呂の残り湯は汲み上げられて、給水配管１１を通り水入り口４より太陽電池ユニット１へ送水により、太陽電池パネル２の表面の積雪を風呂の残り湯の加熱により溶かすことができる。そして、風呂の残り湯は、水出口５から排水配管１２を通って浴槽９へ戻る。風呂の残り湯は、浴槽９と太陽電池ユニット１を循環することにより、長時間、太陽電池パネル２表面の雪をお湯の熱で溶かすことができる。また、太陽の日差しが強い日は、冷めた風呂の残り湯を浴槽９内の揚水ポンプ１０にて汲み上げて、太陽電池ユニット１へ送水することにより、太陽の放射熱を受けた太陽電池パネル２の熱により、風呂の残り湯を温める。【００２４】  図６は、太陽電池の頂上部に散水装置を設けて、水による冷却の状態を示す斜視図である。図６において、給水バルブ８を開くと、水道水は給水配管１１を通り、遠隔操作により電動バルブ１８が開くと散水装置１７へ水道水が送水されて、太陽電池パネル２表面に水道水が散水されることにより冷却して、温度上昇による発電効率の低下を抑制する。【００２５】  図７は、太陽電池の頂上部に散水装置を設けて、お湯により雪を溶かす状態を示す斜視図である。図７において、冬季、積雪がある時期には、浴槽９内の揚水ポンプ１０にて、風呂の残り湯は給水配管１１を通り、遠隔操作により電動バルブ１８が開くと散水装置１７へ送水されて、太陽電池パネル２の表面に風呂の残り湯が散水されることにより、雪を加熱により溶かして太陽電池の発電効率の低下を抑制する。【００２６】  図８は、太陽電池ユニットに、排水バルブ・バルブ及びエアー抜きの取り付け正面図、である。図７において、太陽電池ユニット１の水入口４に排水バルブ１３を設け、冬季には、タンク及び伝熱管内の水を排水して凍結を防止することができる。
また、水出口５にバルブ１４を設け、バルブ１４の手前にエアー抜き１５を取り付けことにより、配管内に混入するエアーをスムーズに抜くことで水を流動させると共に、バルブ１４により水量を調整する。
【図面の簡単な説明】
【００２７】
【図１】本発明の太陽電池の構成図
【図２】太陽電池ユニットにタンクを設けた状態を示す斜視図及び太陽電池ユニットの断面図
【図３】太陽電池ユニットに伝熱管を設けた状態を示す斜視図及び太陽電池ユニットの断面図
【図４】太陽電池ユニットにおいて水道水を温めて浴槽へ送水する使用状態を示す斜視図
【図５】風呂の残り湯により太陽電池パネルの表面の積雪を溶かす状態を示す斜視図
【図６】太陽電池の頂上部に散水装置を設けて、水による冷却の状態を示す斜視図
【図７】太陽電池の頂上部に散水装置を設けて、お湯により雪を溶かす状態を示す斜視図
【図８】太陽電池ユニットに、排水バルブ・バルブ及びエアー抜きの取り付け正面図
【符号の説明】
【００２８】  １  太陽電池ユニット
２  太陽電池パネル
３  タンク
４  水入り口
５  水出口
６  プレート
７  伝熱管
８  給水バルブ
９  浴槽
１０  揚水ポンプ
１１  給水配管
１２  排水配管
１３  排水バルブ
１４，１６  バルブ
１５  エアー抜き
１７  散水装置
１８  電動バルブ
【図１】
2010123907.tif 000003
【図２】
2010123907.tif 000004
【図３】
2010123907.tif 000005
【図４】
2010123907.tif 000006
【図５】
2010123907.tif 000007
【図６】
2010123907.tif 000008
【図７】
2010123907.tif 000009
【図８】
2010123907.tif 000010